(57)【要約】【課題】照明器具用の吊具を、外れ止め用の部品やバネを追加しなくても吊下部材（吊パイプ等）が外れにくいものとする。【解決手段】吊具１０は、吊下部材２０と、被取付面に取り付けられる受け部材３０とを備える。吊下部材２０は、照明器具が取り付けられる支柱部と、支柱部の上に支柱部より太く形成された引掛部とを有する。受け部材３０は、上板部と立板部と底板部とを有する。立板部は、上板部の一辺から下方に延びるとともに、底板部の一辺から立ち上がっている。立板部の下辺には、受け部材３０に吊下部材２０を傾けながら挿入するための第１の切り欠きが形成されている。底板部の、立板部の下辺と接する一辺には、第１の切り欠きとつながり、第１の切り欠きに挿入された吊下部材２０を真っ直ぐ固定するための第２の切り欠きが形成されている。【選択図】図１
2015103400.tif 000002
【特許請求の範囲】
【請求項１】
被取付面から照明器具を吊り下げるための吊具において、
前記照明器具が取り付けられる支柱部と、前記支柱部の上に前記支柱部より太く形成された引掛部とを有する吊下部材と、
下辺に、当該下辺に対して斜めの方向に延び、前記支柱部と前記引掛部とが挿入される第１の切り欠きが形成された立板部と、前記立板部の下辺と接する一辺に、前記第１の切り欠きとつながり、前記支柱部が貫通して前記引掛部が引っ掛けられる第２の切り欠きが形成された底板部とを有し、前記被取付面に取り付けられる受け部材と
を備えることを特徴とする照明器具用の吊具。
【請求項２】
前記第１の切り欠きは、幅が前記支柱部の太さより広く前記引掛部の太さより狭い支柱部挿入領域と、幅が前記引掛部の太さより広い引掛部挿入領域とで構成されていることを特徴とする請求項１の照明器具用の吊具。
【請求項３】
請求項１又は２の照明器具用の吊具と、
前記吊具により前記被取付面から吊り下げられる照明器具と
を備えることを特徴とする照明装置。
【発明の詳細な説明】
【技術分野】
【０００１】
本発明は、照明器具用の吊具及び照明装置に関するものである。本発明は、例えば、吊下パイプ外れ防止用の受け具に関するものである。
【背景技術】
【０００２】
従来、スポットライト等の天井面から吊り下げて使用される照明器具は、照明器具を固定する吊パイプと、吊パイプが装着されるパイプ受け具と、天井面から垂れ下がり、パイプ受け具が取り付けられる棒状の設置部材とを備える吊具によって、天井面に設置されていた（例えば、特許文献１参照）。
【０００３】
吊パイプは、主にパイプ受け具に引っ掛けて装着されるが、振動等により外れるおそれがある。そのため、外れ止め用の部品を追加したり（例えば、特許文献２参照）、バネにより振動の影響を抑制したり（例えば、特許文献３参照）することが考えられる。
【先行技術文献】
【特許文献】
【０００４】
【特許文献１】特開平１１−２８３４３０号公報
【特許文献２】特開２００２−１０６５２４号公報
【特許文献３】実開平２−３４０１３号公報
【発明の概要】
【発明が解決しようとする課題】
【０００５】
外れ止め用の部品やバネを追加すると、吊具の材料費、組立費等が増加するという課題がある。
【０００６】
本発明は、例えば、照明器具用の吊具を、外れ止め用の部品やバネを追加しなくても吊下部材（吊パイプ等）が外れにくいものとすることを目的とする。
【課題を解決するための手段】
【０００７】
本発明の一の態様に係る照明器具用の吊具は、
被取付面から照明器具を吊り下げるための吊具であり、
前記照明器具が取り付けられる支柱部と、前記支柱部の上に前記支柱部より太く形成された引掛部とを有する吊下部材と、
下辺に、当該下辺に対して斜めの方向に延び、前記支柱部と前記引掛部とが挿入される第１の切り欠きが形成された立板部と、前記立板部の下辺と接する一辺に、前記第１の切り欠きとつながり、前記支柱部が貫通して前記引掛部が引っ掛けられる第２の切り欠きが形成された底板部とを有し、前記被取付面に取り付けられる受け部材とを備える。
【発明の効果】
【０００８】
本発明では、照明器具用の吊具の受け部材（受け具）に、吊下部材（吊パイプ等）を斜めに向けて挿入するための第１の切り欠きと、第１の切り欠きに挿入された吊下部材を引っ掛けるための第２切り欠きとが形成される。このため、外れ止め用の部品やバネを追加しなくても吊下部材が外れにくくすることができ、吊具の材料費、組立費等の増加を抑えられる。
【図面の簡単な説明】
【０００９】
【図１】実施の形態１に係る照明器具用の吊具の斜視図。
【図２】実施の形態１に係る照明器具用の吊具の受け部材に吊下部材を装着する手順を示す図。
【図３】実施の形態１に係る照明器具用の吊具の受け部材に吊下部材を装着する手順を示す図。
【図４】実施の形態１に係る照明器具用の吊具の４面図。
【図５】実施の形態１に係る照明器具用の吊具の寸法関係を示す図。
【発明を実施するための形態】
【００１０】
以下、本発明の実施の形態について、図を用いて説明する。
【００１１】
実施の形態１．
図１は、本実施の形態に係る照明器具用の吊具１０の斜視図である。
【００１２】
吊具１０は、被取付面（天井面、器具内部等）から照明器具（図示していない）を吊り下げるために用いられる。吊具１０、照明器具、及び、その他の部品（例えば、光源）から、照明装置（図示していない）が構成される。
【００１３】
図１に示すように、吊具１０は、吊下部材２０と受け部材３０（受け具）とを備える。なお、図１では、吊下部材２０の上部のみを示している。
【００１４】
吊下部材２０は、受け部材３０に装着される。吊下部材２０は、例えば、長尺状のパイプである。
【００１５】
受け部材３０は、被取付面に取り付けられる。受け部材３０は、例えば、１つの板状部材を側面視でコ字状に加工したもの、あるいは、複数の板状部材を側面視で全体としてコ字状になるように連結したものである。
【００１６】
図２及び図３は、受け部材３０に吊下部材２０を装着する手順を示す図である。図４は、吊具１０の４面図である。図５は、吊具１０の寸法関係を示す図である。
【００１７】
吊下部材２０は、支柱部２１と引掛部２２とを有する。なお、図２〜５では、支柱部２１の上部のみを示している。
【００１８】
支柱部２１の下端部には、照明器具が取り付けられる。なお、照明器具が取り付けられる位置は、吊下部材２０が受け部材３０に装着可能であれば、支柱部２１のどの部分であっても構わない。
【００１９】
引掛部２２は、支柱部２１の上に支柱部２１より太く形成されている。
【００２０】
上記のように、吊下部材２０の長手方向端部の一方には引掛部２２が形成され、他方（即ち、引掛部２２の反対側の端部）には照明器具受け部（図示していない）が形成されている。
【００２１】
図５に示すように、支柱部２１の直径Ａより引掛部２２の直径Ｂのほうが大きい。支柱部２１の中心と引掛部２２の中心は、同軸上である。
【００２２】
受け部材３０は、上板部３１と立板部３２と底板部３３とを有する。なお、上板部３１と立板部３２と底板部３３は、一体に形成されていることが望ましいが、それぞれ別体として互いに連結され、締結部材等により固定されていてもよい。
【００２３】
上板部３１は、被取付面に取り付けられる。上板部３１には、被取付面への取付用のネジ等が挿入される２つの取付孔３４ａと、照明器具への給電用の電線が挿入される電源線挿入孔３４ｂが、上板部３１の長手方向に沿って並ぶように形成されている。なお、取付孔３４ａの数、配置等は、被取付面の材料、吊り下げる照明器具のサイズ、重量等により適宜変更することができる。
【００２４】
立板部３２は、上板部３１の一辺から下方に延びるとともに、底板部３３の一辺から立ち上がっている。立板部３２が上板部３１となす角度は、例えば、９０度である。立板部３２が底板部３３となす角度も、例えば、９０度である。立板部３２の上辺と、上板部３１の、当該上辺が接する一辺は、同じ長さである。立板部３２の下辺と、底板部３３の、当該下辺が接する一辺は、同じ長さである。立板部３２の両側辺は、下方にいくほど互いに近づくように傾斜している。よって、立板部３２の上辺は、立板部３２の下辺より長くなっている。なお、各辺の長さの関係は、適宜変更することができる。
【００２５】
立板部３２の下辺には、当該下辺に対して斜めの方向に延びる第１の切り欠き３５が形成されている。図２に示すように、吊下部材２０は、斜めの状態にされて第１の切り欠き３５に挿入される。
【００２６】
図４に示すように、第１の切り欠き３５は、幅が支柱部２１の太さより広く引掛部２２の太さより狭い支柱部挿入領域３６と、幅が引掛部２２の太さより広い引掛部挿入領域３７とで構成されている。支柱部挿入領域３６の形状は、支柱部２１の上部の側面形状に合わせたものになっている。同様に、引掛部挿入領域３７の形状は、引掛部２２の側面形状に合わせたものになっている。吊下部材２０が第１の切り欠き３５に挿入される際は、支柱部２１が支柱部挿入領域３６を通過し、それと同時に引掛部２２が引掛部挿入領域３７を通過する。このとき、吊下部材２０が挿入される方向は、吊下部材２０の軸方向（即ち、長尺方向）と垂直な方向である。
【００２７】
なお、吊下部材２０は、別の方向に沿って第１の切り欠き３５に挿入されてもよい。例えば、吊下部材２０を先端部（即ち、引掛部２２）から挿入し、その後吊下部材２０を回転させながら、残りの部分（即ち、支柱部２１の上部）を挿入することが考えられる。この場合、引掛部挿入領域３７の形状は、引掛部２２の側面形状ではなく平面形状に合わせたものにする。吊下部材２０が第１の切り欠き３５に挿入される際は、まず、引掛部２２を吊下部材２０の軸方向に沿って引掛部挿入領域３７に挿入する。これにより、引掛部２２が引掛部挿入領域３７を通過する。次に、吊下部材２０を回転させながら、支柱部２１を支柱部挿入領域３６に挿入する。これにより、支柱部２１が支柱部挿入領域３６を通過する。このとき、吊下部材２０の軸方向が垂直方向（即ち、重力方向）に一致した状態となる。
【００２８】
底板部３３は、上板部３１の下方に、上板部３１に対して平行に設けられている。よって、底板部３３の上面は、上板部３１の下面と対向している。
【００２９】
底板部３３の、立板部３２の下辺と接する一辺には、第１の切り欠き３５とつながる第２の切り欠き３８が形成されている。第２の切り欠き３８は、幅が支柱部２１の太さより広く引掛部２２の太さより狭くなっている。図３に示すように、吊下部材２０は、第１の切り欠き３５に挿入された後、斜めの状態から真っ直ぐな状態にされて引き下げられる。このとき、支柱部２１は、第２の切り欠き３８を貫通しているが、引掛部２２は、第２の切り欠き３８を貫通せず、第２の切り欠き３８に引っ掛かる。このため、吊下部材２０が受け部材３０に固定される。なお、図３では、立板部３２を透視しているため、立板部３２を２点鎖線で示している。また、第１の切り欠き３５を通過して斜めになっている吊下部材２０を２点鎖線で示し、その後真っ直ぐになって第２の切り欠き３８に引っ掛けられた吊下部材２０を実線で示している。
【００３０】
図５に示すように、第２の切り欠き３８を形成する壁面は、前述した斜めの状態になっているときの吊下部材２０の傾斜角度に合わせて一部が傾斜面３９になっている。
【００３１】
以下では、吊具１０の寸法関係について説明する。
【００３２】
前述したように、吊下部材２０の支柱部２１の直径をＡ、引掛部２２の直径をＢとする。図４及び図５に示すように、受け部材３０の立板部３２に形成された第１の切り欠き３５と底板部３３に形成された第２の切り欠き３８とがつながる部分の幅、即ち、立板部３２の下辺（あるいは底板部３３の、当該下辺と接する一辺）における開口幅をＣとする。第１の切り欠き３５の支柱部挿入領域３６の幅（例えば、一定とする）をＤ、引掛部挿入領域３７の幅（最大幅）をＥとする。第２の切り欠き３８の奥行き方向の長さをＦとする。
【００３３】
吊下部材２０が第１の切り欠き３５に挿入できるように傾けられた状態で、引掛部２２と、第１の切り欠き３５と第２の切り欠き３８とがつながる部分（即ち、開口幅Ｃを有する部分）がなす角度をＸ、支柱部２１と、第２の切り欠き３８を形成する壁面（ただし、傾斜面３９がない箇所）がなす角度をＹとする。立板部３２の下辺（あるいは底板部３３の、当該下辺と接する一辺）と、第１の切り欠き３５の支柱部挿入領域３６がなす角度をＺとする。
【００３４】
図２において、吊下部材２０は、角度Ｚ傾けて第１の切り欠き３５に挿入される。図３において、吊下部材２０は、所定の位置で垂れ下がるように回転させられ、第２の切り欠き３８に引っ掛けられる。
【００３５】
図４において、第２の切り欠き３８の幅は、第１の切り欠き３５とつながる部分から奥行き方向に沿って途中までは一定であり、開口幅Ｃと同じである。なお、第２の切り欠き３８の幅は、一定でなくてもよく、吊下部材２０を挿入後、回転可能であれば、各部の寸法の大小関係に支障がないように適宜変更することができる。
【００３６】
図４及び図５において、各部の寸法の大小関係は、以下の通りである。
（１）支柱部挿入領域３６の幅Ｄは、引掛部挿入領域３７の幅Ｅよりも小さい。
（２）支柱部挿入領域３６の幅Ｄは、支柱部２１の直径Ａよりも大きいが、引掛部２２の直径Ｂよりも小さい。
（３）開口幅Ｃは、支柱部挿入領域３６の幅Ｄ／ｓｉｎＺと等しい。
（４）開口幅Ｃは、引掛部２２の直径Ｂ／ｓｉｎＺよりも小さい。
（５）角度Ｙは、開口幅Ｃ×ｃｏｓＹが引掛部２２の直径Ｂよりも大きくならない角度である。
（６）角度Ｘは、開口幅Ｃ×ｃｏｓＸが引掛部２２の直径Ｂよりも大きくならない角度である。
（７）第２の切り欠き３８の奥行き方向の長さＦは、引掛部２２の直径Ｂの１／２と支柱部２１の直径Ａの１／２と立板部３２の板厚との合計よりも大きい。
【００３７】
以上説明したように、本実施の形態では、受け部材３０に吊下部材２０を傾けながら挿入するための第１の切り欠き３５と、第１の切り欠き３５に挿入された吊下部材２０を真っ直ぐ固定するための第２の切り欠き３８が形成されている。第１の切り欠き３５は、吊下部材２０を挿入するための挿入口となっており、第２の切り欠き３８は、吊下部材２０を引っ掛けるための引掛孔となっている。挿入口の両側（即ち、立板部３２）には、引掛孔に引っ掛けられた吊下部材２０の外れ防止用の壁が存在しているため、外れ防止用の部品等は不要である。したがって、吊下部材２０の外れ防止と、材料費、組立費等の増加の抑制とを両立することができる。
【００３８】
なお、第１の切り欠き３５の傾斜角度、傾斜方向、形状、大きさ等は、図示したものに限らず、各部の寸法の大小関係に支障がないように適宜変更することができる。第２の切り欠き３８の形状、大きさ等も、図示したものに限らず、各部の寸法の大小関係に支障がないように適宜変更することができる。
【００３９】
以上、本発明の実施の形態について説明したが、この実施の形態を部分的に実施しても構わない。例えば、この実施の形態の説明において「〜部」として説明するもののうち、いずれか１つのみを採用してもよいし、いずれか２つ以上の任意の組み合わせを採用してもよい。なお、本発明は、この実施の形態に限定されるものではなく、必要に応じて種々の変更が可能である。
【符号の説明】
【００４０】
１０  吊具、２０  吊下部材、２１  支柱部、２２  引掛部、３０  受け部材、３１  上板部、３２  立板部、３３  底板部、３４ａ  取付孔、３４ｂ  電源線挿入孔、３５  第１の切り欠き、３６  支柱部挿入領域、３７  引掛部挿入領域、３８  第２の切り欠き、３９  傾斜面。
【図１】
2015103400.tif 000003
【図２】
2015103400.tif 000004
【図３】
2015103400.tif 000005
【図４】
2015103400.tif 000006
【図５】
2015103400.tif 000007